(57)【要約】【課題】  同一の映像信号が複数供給されている場合において、そのうちの１つの出力が絶えたとき、同一の映像信号を供給している他の入力から確実に且つ即座に出力する。【解決手段】  複数の映像信号が供給されている複数の入力端子２０ａ乃至２０ｆには、同一の映像信号が供給されている複数のものが含まれている。複数の入力端子２０ａ乃至２０ｆのうち同一の映像信が供給されているものを検出回路２６の冗長化検出手段２６ａが検出する。各入力端子２０ａ乃至２０ｆの映像信号はスイッチ回路１８を介してそれぞれに対応する出力端子２２ａ乃至２２ｆに供給されている。同一の映像信号が供給されている複数の入力端子のうち１つの映像信号が絶たれたことを検出回路２６の供給停止検出手段２６ｂが検出したとき、同一の映像信号が供給されていた他の入力端子の映像信号を、映像信号の絶たれた入力端子に対応する出力端子にスイッチ回路１８が供給するように、スイッチ回路１８を切換制御回路２４が制御する。【選択図】  図１
2013090231.tif 000002
【特許請求の範囲】
【請求項１】
複数の映像信号が供給されている複数の入力端子と、
前記複数の入力端子に入力された前記複数の映像信号を前記複数の入力端子のそれぞれに対応した出力端子に出力する選択手段と、
前記複数の入力端子のうち同一の映像信号が供給されている複数の冗長化入力端子を検出する冗長化検出手段と、
前記複数の冗長化入力端子のうち少なくとも１つの冗長化入力端子への映像信号の供給停止を検出する供給停止検出手段と、
前記供給停止検出手段が、前記冗長化入力端子への映像信号の供給が絶たれたことを検出したとき、前記複数の冗長化入力端子のうち前記供給停止検出手段によって映像信号の供給が絶たれたことが検出された冗長化入力端子に対応する出力端子に対して、前記供給停止検出手段によって映像信号の供給が絶たれたことが検出された冗長化入力端子とは異なる冗長化入力端子に入力された映像信号を出力するように前記選択手段を制御する制御手段とを、具備する映像切換装置。
【請求項２】
前記供給停止検出手段が、前記冗長化入力端子への映像信号の供給が絶たれたことを検出したとき、前記複数の冗長化入力端子のうち前記供給停止検出手段によって映像信号の供給が絶たれたことが検出された冗長化入力端子に対応する出力端子に対して、前記供給停止検出手段によって映像信号の供給が絶たれたことが検出されていない冗長化入力端子に入力された映像信号を出力するように、前記制御手段が前記選択手段を制御することを特徴とする、請求項１に記載の映像切換装置。
【請求項３】
前記供給停止検出手段は、映像信号の供給が停止していた前記冗長化入力端子に再び映像信号が供給されたことを検出するものであって、再び映像信号が供給されたことが検出された冗長化入力端子に対応する出力端子に対してその映像信号を出力するよう前記制御手段が前記選択手段を制御することを特徴とする、請求項１または２に記載の映像切換装置。
【請求項４】
前記冗長化検出手段は、前記複数の入力端子のうち同一の映像信号が供給されている複数の冗長化入力端子を所定のタイミングで検出することを特徴とする、請求項１乃至３いずれかに記載の映像切換装置。
【請求項５】
請求項１記載の映像切換装置において、
前記複数の入力端子には、前記同一の映像信号とは異なる第２の映像信号がそれぞれ供給されている複数の別の入力端子が含まれ、
前記冗長化検出手段が、前記複数の入力端子のうち、前記第２の映像信号がそれぞれ供給されている複数の第２の冗長化入力端子も検出し、
前記供給停止検出手段が、前記第２の冗長化入力端子への映像信号の供給が絶たれたことを検出したとき、前記制御手段は、前記複数の第２の冗長化入力端子のうち前記供給停止検出手段によって映像信号の供給が絶たれたことが検出された第２の冗長化入力端子に対応する出力端子に対して、前記供給停止検出手段によって映像信号の供給が絶たれたことが検出された第２の冗長化入力端子とは異なる第２の冗長化入力端子に入力された映像信号を出力するように前記選択手段を制御する映像切換装置。
【発明の詳細な説明】
【技術分野】
【０００１】
本発明は、例えばビデオミキサーのような映像処理装置に供給する映像信号を切り換える映像切換装置に関し、特に同一の映像信号を複数入力して切り換えるものに関する。
【背景技術】
【０００２】
特許文献１には、例えばビデオミキサー装置の複数の映像入力チャンネルに、１つの映像ソースによる同一の映像信号をそれぞれ入力することが開示されている。特許文献１の技術では、映像ソースが、１つのフレームに４つの動画を同時に記録したものであって、これを各映像入力チャンネルに供給し、各映像入力チャンネルにおいて選択した動画について、それぞれ映像の拡大や切り出しを行ってから合成して出力する。
【先行技術文献】
【特許文献】
【０００３】
【特許文献１】特開２００５−２６９５１４号
【発明の概要】
【発明が解決しようとする課題】
【０００４】
ところで、同一映像信号を複数の入力チャンネルに供給することによって、映像信号の入力経路を冗長化し、トラブルに備えることが考えられる。例えば映像入力チャンネル１と５とに同一の映像信号を供給し、映像入力チャンネル２と６とに別の内容の同一映像信号を供給し、例えば映像入力チャンネル１と２とから映像信号をそれぞれ出力している状態において、なんらかの原因で例えばチャンネル１の映像信号が途絶えた場合、同一の映像信号が供給されているチャンネル５から映像信号を出力する。このような入力の切換は、手動によって行われていた。このように手動によって切換が行われているので、その切換の確実性及び即応性に掛けるという問題があった。
【０００５】
本発明は、同一の映像信号が複数供給されている場合において、そのうちの１つの出力が絶えたとき、同一の映像信号を供給している他の入力から確実に且つ即座に出力できる映像切換装置を提供することを目的とする。
【課題を解決するための手段】
【０００６】
本発明の一態様の映像切換装置は、複数の映像信号が供給されている複数の入力端子を有している。複数の入力端子には、同一の映像信号が供給されている複数の冗長化入力端子が含まれている。前記複数の入力端子に入力された前記複数の映像信号を前記複数の入力端子のそれぞれに対応した出力端子に選択手段が出力する。前記複数の入力端子のうち同一の映像信号が供給されている複数の冗長化入力端子を、冗長化検出手段が検出する。前記複数の冗長化入力端子のうち少なくとも１つの冗長化入力端子への映像信号の供給停止を供給停止検出手段が検出する。前記供給停止検出手段が、前記各冗長化入力端子のうちいずれかへの映像信号の供給が絶たれたことを検出したとき、前記複数の冗長化入力端子のうち前記供給停止検出手段によって映像信号の供給が絶たれたことが検出された冗長化入力端子に対応する出力端子に対して、前記供給停止検出手段によって映像信号の供給が絶たれたことが検出された冗長化入力端子とは異なる冗長化入力端子に入力された映像信号を出力するように制御手段が前記選択手段を制御する。
【０００７】
このように構成された映像切換装置では、同一の映像信号が供給されている複数の冗長化入力端子を冗長化検出手段が自動的に検出し、検出された複数の冗長化入力端子のうち供給停止検出手段によって映像信号の供給が絶たれたことが検出された冗長化入力端子に対応する出力端子に対して、供給停止検出手段によって映像信号の供給が絶たれたことが検出された冗長化入力端子とは異なる冗長化入力端子に入力された同じ映像信号が自動的に出力される。従って、映像信号が絶たれた冗長化入力端子に対応する出力端子には、同一の映像信号が、確実にかつ即時に供給される。
【０００８】
前記供給停止検出手段が、前記冗長化入力端子への映像信号の供給が絶たれたことを検出したとき、前記複数の冗長化入力端子のうち前記供給停止検出手段によって映像信号の供給が絶たれたことが検出された冗長化入力端子に対応する出力端子に対して、前記供給停止検出手段によって映像信号の供給が絶たれたことが検出されていない冗長化入力端子に入力された映像信号を出力するように、前記制御手段が前記選択手段を制御することもできる。
【０００９】
このように構成すると、複数、例えば第１及び第２の２つの冗長化入力端子のうち第１の冗長化入力端子に供給されていた映像信号が絶えると、第２の冗長化入力端子に供給されていた映像信号が、映像信号が絶えた第１の冗長化入力端子に対応する出力端子に供給されるが、第２の冗長化入力端子に供給されていた映像信号も絶えた場合、第１の冗長化入力端子に対応する出力端子には映像信号は供給されない。もし、第２の冗長化入力端子の映像信号が絶たれたとき、絶たれたことを供給停止検出手段が検出し、制御手段が第１の冗長化入力端子の映像信号を、第１の冗長化入力端子に対応する出力端子に供給するように制御手段が切換えても、第１の冗長化入力端子には映像信号が存在しないので、存在しないことを供給停止検出手段が再び検出し、第２の冗長化入力端子に再び切換えようし、発振状態となるが、上述したように構成すると、発振状態となることはない。上記の説明は、冗長化入力端子の数を２つとしたが、これは例示に過ぎず、冗長化端子の数が３以上であっても同様である。
【００１０】
前記供給停止検出手段は、映像信号の供給が停止していた前記冗長化入力端子に再び映像信号が供給されたことを検出するものとすることができる。この場合、再び映像信号が供給されたことが検出された冗長化入力端子に対応する出力端子に対して、その映像信号を出力するように前記制御手段が前記選択手段を制御する。
【００１１】
これによって、映像信号が絶たれていた冗長化入力端子に映像信号が復旧した場合には、その復旧した冗長化入力端子に対応する出力端子には、その復旧した映像信号が供給される。
【００１２】
前記冗長化検出手段は、前記複数の入力端子のうち同一の映像信号が供給されている複数の冗長化入力端子を所定のタイミングで検出する。前記所定のタイミングは、例えば電源投入後、所定時間以内の１回と、前記供給停止検出手段が映像信号の供給が絶たれたことを検出したタイミングとすることができる。或いは、所定時間間隔で繰り返されるものとすることもできる。
【００１３】
このように構成すると、冗長化された映像信号の一つが絶たれて、絶たれた映像信号が供給されていた入力端子とは別の入力端子から同一の映像信号を出力している状態において、別の入力端子からの映像信号も絶たれた場合に、先に映像信号が絶たれた入力端子へ制御手段が誤って接続を切り換え、先に映像信号が立たれた入力端子の映像信号が立たれているので、再び後で映像信号が絶たれた入力端子に接続を切り換えるということが繰り返される発振状態が発生することを防止できる。
【００１４】
前記複数の入力端子は、前記同一の映像信号とは異なる第２の映像信号がそれぞれ供給されている複数の別の入力端子を含むものとすることができる。この場合、前記冗長化検出手段が、前記複数の入力端子のうち、前記第２の映像信号がそれぞれ供給されている複数の第２の冗長化入力端子も検出し、前記供給停止検出手段が、前記第２の冗長化入力端子への映像信号の供給が絶たれたことを検出したとき、前記制御手段は、前記複数の第２の冗長化入力端子のうち前記供給停止検出手段によって映像信号の供給が絶たれたことが検出された第２の冗長化入力端子に対応する出力端子に対して、前記供給停止検出手段によって映像信号の供給が絶たれたことが検出された第２の冗長化入力端子とは異なる第２の冗長化入力端子に入力された映像信号を出力するように前記選択手段を制御する。
【００１５】
このように構成すると、第２の冗長化入力端子のいずれかにおいて第２の映像信号の供給が絶たれても、第２の映像信号が供給されている別の第２の長化入力端子から、第２の映像信号の供給が絶たれた第２の冗長化入力端子に対応する出力端子に第２の映像信号が供給される。
【発明の効果】
【００１６】
以上のように、本発明によれば、同一の映像信号を複数供給して冗長化を図った場合に、そのうちの１つの出力が絶えたとき、確実に且つ即座に同一の映像信号を供給している他の入力から自動的に出力することができる。
【図面の簡単な説明】
【００１７】
【図１】本発明の第１の実施形態の映像切換装置の詳細なブロック図である。
【図２】図１の映像切換装置を備えたビデオミキサーのブロック図である。
【図３】図１の映像切換装置の映像信号の冗長化検出及び供給停止検出の説明図である。
【図４】図１に示すビデオミックスエフェクト部２３によって作成された映像を示す図である。
【図５】本発明の第２の実施形態の映像切換装置の詳細なブロック図である。
【発明を実施するための形態】
【００１８】
本発明の第１の実施形態の映像切換装置は、図２に示すビデオミキサー２において使用されている。このビデオミキサー２は、複数台の映像信号生成手段、例えばビデオ信号源具体的にはビデオカメラ、ビデオプレーヤ及びＤＶＤプレヤー等からのアナログ映像信号を入力して、それらを編集し、その編集結果を出力する。
【００１９】
ビデオミキサー２は、ＣＰＵ４を有している。ＣＰＵ４は、バス６を介してグラフィックアクセラレータ（Ｇ／Ａ）８に指示を与える。グラフィックアクセラレータ８は、上述したビデオ信号源からのアナログ映像信号をＡ／Ｄ変換器１０によってデジタル変換したデジタル映像信号を入力し、ＣＰＵ４からの指示に従ってデジタル処理、例えば編集処理を行って、編集されたものをＤ／Ａ変換器１２によってアナログ映像信号に変換して出力する。なお、ビデオ信号源自体がデジタル映像信号を出力する場合もあるし、編集処理の結果をデジタル形式のまま出力することもある。その場合、Ａ／Ｄ変換器１０及びＤ／Ａ変換器１２は不要である。
【００２０】
グラフィックアクセラレータ８がデジタル処理をする際や、ＣＰＵ４がグラフィックアクセラレータ８に指示を与える際に、ワークエリアとして、バス６に接続されている内部メモリ１４が使用される。ＣＰＵ４がグラフィックアクセラレータ８に指示を与えるためのデータは、ユーザーインターフェース１６を介してユーザーが与える。
【００２１】
図１は、グラフィックアクセレータ８が実行する映像入力の切換装置を機能ブロックで示したもので、Ａ／Ｄ変換器１０によってデジタル化された複数のデジタル映像信号が、複数の入力端子に供給され、これらデジタル映像信号のうち選択手段、例えばスイッチ回路１８によって選択されて、出力端子に出力されたものが、後続の映像処理手段、例えばビデオミックスエフェクト部２３に供給される。ビデオミックスエフェクト部２３については後述する。
【００２２】
図１の例では、スイッチ回路１８には、６つの入力端子２０ａ乃至２０ｆが設けられており、また６つの出力端子２２ａ乃至２２ｆも設けられている。スイッチ回路１８は、通常は入力端子をそれぞれ対応する出力端子に接続している。例えば入力端子２０ａを出力端子２２ａに、入力端子２０ｂを出力端子２２ｂに、入力端子２０ｃを出力端子２２ｃに、入力端子２０ｄを出力端子２２ｄに、入力端子２０ｅを出力端子２２ｅに、入力端子２０ｆを出力端子２２ｆに接続している。と同時に、スイッチ回路１８は、制御手段、例えば切換制御回路２４からの制御信号に従って、入力端子２０ａ乃至２０ｆのうち選択されたものを、出力端子２２ａ乃至２２ｆのうち選択されたものに接続することができる。例えば入力端子２０ａは、出力端子２２ａ乃至２２ｆのうちいずれかに接続可能であり、入力端子２０ｂも、出力端子２２ａ乃至２２ｆのいずれかに接続可能である。他の入力端子も同様である。
【００２３】
入力端子２０ａには、Ａ／Ｄ変換器１０によって生成されたデジタル映像信号Ａが供給され、これが出力端子２２ａに供給されている。同様に入力端子２０ｂには、Ａ／Ｄ変換器１０によって生成されたデジタル映像信号Ｂが供給され、これが出力端子２２ｂに供給されている。入力端子２０ｃには、Ａ／Ｄ変換器１０によって生成されたデジタル映像信号Ｃが供給され、これが出力端子２２ｃに供給されている。入力端子２０ｄには、Ａ／Ｄ変換器１０によって生成されたデジタル映像信号Ｄが供給され、これが出力端子２２ｄに供給されている。
【００２４】
入力端子２０ｅには、入力端子２０ｃと同一の映像信号Ｃが供給されて、冗長化されており、出力端子２２ｅに供給されている。同様に、入力端子２０ｆには、入力端子２０ｄと同一の映像信号Ｄが供給されて、冗長化されており、出力端子２２ｆに供給されている。このように冗長化されていない映像信号Ａ、Ｂと同様に、冗長化されている映像信号Ｃ、Ｄもそれぞれの対応する出力端子に供給されている。
【００２５】
各入力端子２０ａ乃至２０ｆのデジタル映像信号Ａ乃至Ｄは、検出手段、例えば検出回路２６に供給される。検出回路２６は、各入力端子２０ａ乃至２０ｆのうちいずれといずれとに同一のデジタル映像信号が供給されているかを検出する冗長化検出手段２６ａを備えている。
【００２６】
この冗長化検出は、例えば同一サンプリングタイムの各入力端子２０ａ乃至２０ｆのデジタル映像信号を相互に比較することを予め定めたサンプリング回数に亘って繰り返すことによって行うことができる。図３は、この比較の状態を示し、同図（ａ）乃至（ｄ）は入力端子２０ｃ乃至２０ｆの各デジタル映像信号を表しており、これらの間では、サンプリングタイムｔ１における各入力端子２０ｃ乃至２０ｆのデジタル映像信号を相互に比較している。実際には、これに入力端子２０ａ及び２０ｂのデジタル映像信号も含まれる。このような比較をサンプリングタイムｔ１から予め定めた回数のサンプリングタイム、例えばｔ４まで繰り返し、これらの各サンプリングタイムにおいてデジタル映像信号が一致した入力端子に同一のデジタル映像信号が供給されていると判断する。この場合、上述したように入力端子２０ｃと２０ｅとに同一の映像信号Ｃが供給され、入力端子２０ｄと２０ｆとに同一の映像信号Ｄが供給されていると決定する。即ち、入力端子２０ｃと２０ｅとが冗長化入力端子であり、入力端子２０ｄと２０ｆとが冗長化入力端子である。
【００２７】
なお、同一であるとの判断には、上述したような完全一致の他に、各サンプリングタイムにおけるデジタル映像信号の差分を所定サンプリング数について採り、この差分の累積値と許容値とを比較して、許容値よりも小さければ同一と判定するものや、例えば１フレーム分のデジタル映像信号同士のエッジ比較をしたり、ヒストグラムグラム比較をしたり類似性を数値化して合計し、その合計値を許容値と比較するものや、上述した各手法を用い総合的に評価するものもある。即ち、同一との判断は、単なるサンプリングタイムにおけるデジタル映像信号の比較のみを意味するものではない。また、この冗長化検出手段２６ａの検出結果は、次に冗長化検出手段２６ａが検出動作を行うまで保持される。
【００２８】
検出回路２６は、供給停止検出手段２６ｂも有し、この供給停止検出手段２６ｂは、検出回路２６の冗長化検出手段２６ａによって同じデジタル映像信号を供給していると決定された冗長化入力端子、この場合、入力端子２０ｃ、２０ｅと入力端子２０ｄ、２０ｆとのデジタル映像信号がそれぞれ正しく検出されているかどうかを判断するもので、その手法として例えばこれらデジタル映像信号の同期信号を正しく検出できるかどうか判断する。デジタル映像信号を正しく検出できなかったと、検出回路２６の供給停止検出手段２６ｂが判断すると、供給停止検出手段２６ｂは、切換制御回路２４に、同一のデジタル映像信号が供給されている冗長化入力端子を、正しく検出できなかった冗長化入力端子からデジタル映像信号の供給を受けていた出力端子に接続するように指示を与える。例えば図３（ａ）に示すように入力端子２０ｃのデジタル映像信号Ｃがサンプリングタイミングｔｘで絶たれると、切換制御回路２４は、検出回路２６の供給停止検出手段２６ｂの指示に従って、同図（ｃ）に示す入力端子２０ｅのデジタル映像信号Ｃを出力端子２２ｅに加え出力端子２２ｃにも出力するようにスイッチ回路１８を制御する。もし、入力端子２０ｄのデジタル映像信号Ｄが同図（ｂ）に示すように、サンプリングタイミングｔｙで絶たれると、切換制御回路２４が検出回路２６の供給停止検出手段２６ｂの指示に従って、同図（ｄ）の入力端子入力端子２０ｆのデジタル映像信号Ｄを出力端子２２ｆに加え出力端子２２ｄにも供給する。
【００２９】
このように冗長化するために、同一のデジタル映像信号を複数の入力端子に供給しておき、そのうちの１つの入力端子からのデジタル映像信号がなんらかの原因で絶たれると、同一のデジタル映像信号が供給されている他の入力端子から、自動的に同一のデジタル映像信号の供給が継続される。従って、手動で行う場合のような手間がかかることはないし、誤って他のデジタル映像信号を供給するようなこともない。
【００３０】
なお、冗長化検出手段２６ａによる冗長化検出動作は、所定のタイミング、例えば、このビデオミキサーへの電源投入時に１度行い、さらに供給停止検出手段２６ｂが映像信号の供給が絶たれたことを検出したタイミングで行うことが望ましい。これは、冗長化検出を１度だけ行っただけで放置すると、次のような不都合が生じる可能性があるからである。例えば入力端子２０ｃ、２０ｅが冗長化されて、入力端子２０ｃのデジタル映像信号Ｃが出力端子２２ｃに出力されている状態で、入力端子２０ｃへのデジタル映像信号Ｃの供給が絶たれると、上述したように入力端子２０ｅのデジタル映像信号Ｃが出力端子２２ｃにも出力される。この時点で、既に冗長化状態ではないが、冗長化検出手段２６ａは、入力端子２０ｃと２０ｅとが冗長化されたままと認識している。この状態で、入力端子２０ｅへのデジタル映像信号の供給がなんらかの原因で絶たれると、供給停止検出手段２６ｂが入力端子２０ｅのデジタル映像信号Ｃが絶たれたことを検出したことにより、切換制御回路２４が入力端子２０ｃのデジタル映像信号を出力端子２２ｃと２２ｅに出力するようにスイッチ回路１８を切り換える。しかし、入力端子２０ｃのデジタル映像信号は存在しないので、再び供給停止検出手段２６ｂが入力端子２０ｃのデジタル映像信号が供給停止されていることを検出し、切換制御回路２４が再び入力端子２０ｅのデジタル映像信号を出力端子２２ｃと２２ｅに出力するようにスイッチ回路１８を切り換える。以後、このような切換が繰り返されて発振状態となる。これを避けるため、供給停止検出手段２６ｂが映像信号の供給が絶たれたことを検出したタイミングでも、冗長化検出手段２６ａを動作させて、入力端子２０ｃと２０ｅとが冗長化されていないことを検出する。これによって、以後に入力端子２０ｅのデジタル映像信号Ｃが絶たれても、入力端子２０ｃへの切換は行われず、入力端子２０ｅはデジタル映像信号Ｃが絶たれたまま出力端子に接続されたままとなる。そして入力端子２０ｅにデジタル映像信号が復旧すると、そのまま出力される。
【００３１】
なお、上述した手法に代えて、所定時間間隔で繰り返し冗長化検出手段２６ａを動作させておけば、供給停止検出手段２６ｂが入力端子２０ｅの供給停止の検出を行う前に、冗長化解消状態を検出することができ、上述した不都合を解消できる。あるいはユーザーが任意のタイミングで冗長化検出手段２６ａを動作させてもよい。
【００３２】
さらに、デジタル映像信号の供給が絶たれたことが一度検出された入力端子に、再びデジタル映像信号が供給されていることを供給停止検出手段２６ｂが検出した場合に、その入力端子に対応する出力端子にそのデジタル映像信号を出力するよう制御してもよい。このタイミングでも冗長化検出手段２６ａによる冗長化検出動作を行ってもよい。
【００３３】
また、例えば入力端子２０ｃと２０ｅとの同じデジタル映像信号Ｃが供給されている状態において、入力端子２０ｃまたは２０ｅのデジタル映像信号が例えばデジタル映像信号Ｅに変更されたような場合、この変更後に冗長化検出手段２６ａが検出動作をしたときに、入力端子２０ｃと２０ｅとが冗長化されていないことが検出される。これによって、冗長化されていた入力端子のデジタル映像信号が別のものに変化した以後に、入力端子２０ｃまたは２０ｅのデジタル映像信号の一方が絶たれたときに、絶たれたデジタル映像信号と異なるデジタル映像信号が誤って出力されることを防止できる。
【００３４】
また、デジタル映像信号の供給が絶たれたことが供給停止検出手段２６ｂにより検出されたとき、冗長化入力端子のうち、デジタル映像信号の供給が絶たれたことが検出されていない入力端子のデジタル映像信号を出力するよう制御してもよい。例えば入力端子２０ｃ、２０ｅが冗長化され、入力端子２０ｃへのデジタル映像信号Ｃの供給が絶たれ、入力端子２０ｅのデジタル映像信号Ｃが出力端子２２ｃと２２ｅに出力されている場合、さらに入力端子２０ｅへのデジタル映像信号の供給が絶たれたことを検出しても、入力端子２０ｃへのデジタル映像信号の供給が絶たれたままであるなら、何もしない。これによって発振状態となることを防止できる。
【００３５】
ビデオミックスエフェクト部２３は、上記の４つのデジタル映像信号Ａ乃至Ｄのうち、ユーザーからのユーザーインターフェース１６を介しての指示によって、２つ、例えばデジタル映像信号ＡとＣとを選択し、図４（ａ）に示すように、両者を合成してＰｉｎＰ映像を作成して出力するような映像ミキシングを行ったり、同じくデジタル映像信号Ａ、Ｃを選択して、同図（ｂ）に示すようにまずデジタル映像信号Ａのみを出力し、その後にデジタル映像信号Ｃのみを出力する映像切り替えを行ったりする。また、同図（ｃ）に示すように、デジタル映像信号Ａ、ＣのＰｉｎＰ画像を出力している状態において、ユーザーからの指示によって、デジタル映像信号ＢとＤとを選択して両者を合成してＰｉｎＰ画像を作成し、先の映像ＡとＣとのＰｉｎＰ映像から新たな映像ＢとＤとのＰｉｎＰ画像に切り換えるようなミキシングと切換とを行うこともある。
【００３６】
第２の実施形態の映像入力切換装置の主要部を図５に示す。例えば接続の自由度を大きくするために、例えばＳ端子、Ｄ端子、ＲＣＡ端子のように複数の異なる態様の入力端子を備え、これら複数の入力端子を介して同じチャンネルに映像信号を入力できるようにした、映像処理装置、例えばミキサー装置がある。このような装置では、しばしば同じ信号を並列に異なる態様の入力端子に入力し、冗長化を図ることがある。第２の実施形態の映像入力切換装置は、このような装置に使用されている。第２の実施形態の映像入力切換装置では、同一のデジタル映像信号が供給されている異なる態様の入力端子が、予め判明し、かついずれの入力端子から出力端子にデジタル映像信号が出力されているかも、予め判明しているものである。
【００３７】
同一のデジタル映像信号Ｄが入力端子３０ａ及び３０ｂに供給されている。これら入力端子３０ａ、３０ｂは、選択手段、例えば切換スイッチ３２にそれぞれ供給され、入力端子３０ａのデジタル映像信号が出力端子３４に供給されている。
【００３８】
入力端子３０ａのデジタル映像信号は、制御手段、例えば供給停止検出手段、例えば比較器３６に供給され、ここで基準信号源３８からの基準信号と比較される。比較器３６は、入力端子３０ａのデジタル映像信号の値が基準値よりも小さくなったとき、入力端子３０ｂのデジタル映像信号を出力端子３４に供給するように切換スイッチ３２を切り換える。なお、比較器３６には、出力端子３４に供給されているデジタル映像信号を供給して、これと基準信号とを比較することもできる。
【００３９】
この実施形態では、別のデジタル映像信号が、入力端子４０ａ及び４０ｂに供給され、切換スイッチ４２を介して入力端子４０ａのデジタル映像信号が出力端子４４に出力されている。入力端子４０ａのデジタル映像信号が比較器４６において基準信号源３８の基準信号と比較され、力端子４０ａのデジタル映像信号の値が基準値よりも小さくなったとき、入力端子４０ｂのデジタル映像信号が出力端子３４に供給されるように比較器４６が切換スイッチ３２を切り換える。この場合も、比較器４６には、出力端子４４に供給されているデジタル映像信号を供給して、これと基準信号とを比較することもできる。
【００４０】
上記の両実施形態では、同一のデジタル映像信号が供給される冗長化入力端子を２つとしたが、これに限ったものではなく、２以上の冗長化入力端子に同一のデジタル映像信号を供給することもできる。また、上記の両実施形態では、複数の冗長化入力端子に供給される異なるデジタル映像信号を２種類としたが、さらに多くの異なる種類のデジタル映像信号を複数の冗長化入力端子にそれぞれ供給することもできる。例えば第１の実施形態で言えば、デジタル映像信号Ｃ及びＤだけでなく、デジタル映像信号Ａも複数の冗長化入力端子に供給し、そのうちの１つの冗長化入力端子からのデジタル映像信号が絶たれたときには、デジタル映像信号Ａが供給されている他の入力端子から、デジタル映像信号が絶たれた冗長化入力端子がデジタル映像信号を出力していた出力端子に出力するように構成することもできる。また、第１の実施形態においても、第２の実施形態と同様に、冗長化される同じデジタル映像信号は、複数の異なる態様の入力端子に供給することもできる。
【符号の説明】
【００４１】
１８  スイッチ回路（選択手段）
２０ａ乃至２０ｆ  入力端子
２０ｃ、２０ｅ  冗長化入力端子
２０ｄ、２０ｆ  第２の冗長化入力端子
２２ａ乃至２２ｆ  出力端子
２４  切換制御回路（制御手段）
２６  検出回路（冗長化検出手段、供給停止検出手段）
Ｃ  映像信号（同一の映像信号）
Ｄ  映像信号（第２の映像信号）
【図１】
2013090231.tif 000003
【図２】
2013090231.tif 000004
【図３】
2013090231.tif 000005
【図４】
2013090231.tif 000006
【図５】
2013090231.tif 000007